(57)【要約】      （修正有）【課題】シート部の円環体を２分割可能とすることで脚部とシート部自体をそれぞれ折畳みながら搬送ボックスに納入できるようにした新規な折畳み用携帯椅子を提供する。【解決手段】椅子は、Ｘ字状の折り畳み可能な４この折畳み肢脚６，７，８，９と、これらを固定する４個の固定台１０と、２個の後部固定台１０から延設する２本の支持棒１１とからなる脚部と、該支持棒１１の先端部及び前記折畳み肢脚である前肢脚の２本の軸先端部に係止可能なシート部１とから成り、シート部１は、着座部２と背もたれ部３とから成るシート体とシート体縁部の縫着孔を挿通する円環体４と、小孔を有する係止部５とから成り、該シート部を挿通する円環体４の一部が前記支持棒１１先端の溝部に嵌め込まれ、係止部５の小孔に前記折畳み肢脚である前肢脚６の軸先端部を挿通させ、シート部１を固定する。【選択図】図１
0003112740.tif 000002
【実用新案登録請求の範囲】
【請求項１】
Ｘ字状の折り畳み可能な折畳み肢脚と、該肢脚先端部を固定する固定台と、該固定台から延設する支持棒とからなる脚部と、該支持棒先端部及び前記折畳み肢脚先端部に係止可能なシート部とからなる折畳み用椅子であって、前記シート部は、シート部とシート縁部の縫着孔を挿通する円環体と、小孔を有する係止部とから構成され、該シート部の円環体が前記支持棒先端の溝部に嵌め込まれると共に、係止部の小孔に前記折畳み肢脚先端部を挿通させることによってシート部を固定することを特徴とする折畳み用携帯椅子。
【請求項２】
前記脚部は、Ｘ字状の折り畳み可能な折畳み肢脚の先端部を固定する複数の固定台で開閉自在に固定される際に、後部固定台から延設する支持棒を挿通させた複数の上部固定部が支持棒に沿って上下に移動可能な構造となっていることを特徴とする請求項１記載の折畳み用携帯椅子。
【請求項３】
前記脚部の支持棒先端部には、Ｕ字状の溝を設けた固定部を取り付けてあることを特徴とする請求項１〜２記載の折畳み用携帯椅子。
【請求項４】
前記シート部の円環体は、複数の円環体と、該円環体先端部を固定する固定具とからなり、該円環体の先端部は前後に回送自在に固定されることによって円環体及びシート部が折畳み可能となっていることを特徴とする請求項１記載の折畳み用携帯椅子。
【考案の詳細な説明】
【技術分野】
【０００１】
本考案はキャンプや釣り等のアウトドアにおいて使用可能な折畳み用携帯椅子に関し、更に詳しくは、脚部のみの折畳みでなくシート部も別途折畳みができ、脚部及びシート部を畳んだ状態で搬送ボックスに入れて同時に搬送可能な新規な折畳み用携帯椅子を提供するものである。
【背景技術】
【０００２】
従来の折畳み椅子は、Ｘ字状の脚部先端にシート部を取り付けて折りたたむことができる折畳み式椅子は公知であるが、シート部の幅がＸ脚によって制限される為に狭い面積のシート部を取り付けざるをえなかった。
【０００３】
これらの問題を解決する椅子として、実開平７−１６６４６号「きせかえチェアー」には、「背、座部が一体化されたシートを、骨組み部分に着脱自在に取り付け得る椅子」が開示されているように、開閉自在なＸ字状脚部と背、座部が一体化されたシートを用いることは公知となっている。
【０００４】
また実用新案第２５０５３３８号「折り畳み式椅子」には、「着座部および背もたれ部を構成する布と、１つの後支持台と、左右に配置された２つの前支持具と、前記布の着座部両端が固定される２つの連結支持具と、前記後支持脚に所定間隔を隔てて平行に立設されて上端部で前記布の背もたれ部上端を支持する２本の支柱と、この２本の支柱の中間部で支柱間に跨るように配置され、この２本の支柱にスライド自在に支持されたスライド板とを備え、この２本の支柱にスライド自在に支持されたスライド板とを備え、スライド板および２つの前支持台、後支持台および２つの連結支持具、連結支持具および逆側の前支持台がそれぞれ棒状の脚を介して連結されている」折り畳み椅子が開示されている。
【特許文献１】実開平７−１６６４６号
【特許文献２】実用新案第２５０５３３８号
【考案の開示】
【考案が解決しようとする課題】
【０００５】
上記の従来の折畳み椅子は、脚部にＸ字状の棒状脚を支持台で固定して開閉自在にして折りたたむことができるが、着座部および背もたれ部を構成するシート部（布）の折畳みを半分にすることはできなかった。
【０００６】
このため脚部の折畳みと同一幅のシート部を重ねて折りたたむことは可能であるが、この場合には、シート部の幅を大きくすることができず使用時のシート幅としては不充分のものであるため、充分な着座部および背もたれ部を有する一方で、不使用時にはコンパクトに折畳みができるシート部および脚部とを併せ持つ携帯用折畳み椅子の開発が望まれたいた。
【課題を解決するための手段】
【０００７】
本考案者は斯かる課題を解決するために鋭意研究したところ、着座部および背もたれ部を半円球状に縫着して折畳みを容易にすると共に、これら縫着シートの端部に円環状の縫着孔を設けて折畳み可能な円環体を挿通した折畳みシート部を製造し、このシート部を脚部が開いた状態で取り付けることで充分な着座部および背もたれ部を確保することができることを見いだし、本考案の携帯用折畳み椅子を提供することができた。
【０００８】
すなわち本考案の第一は、Ｘ字状の折り畳み可能な折畳み肢脚と、該肢脚先端部を固定する固定台と、該固定台から延設する支持棒とからなる脚部と、該支持棒先端部及び前記折畳み肢脚先端部に係止可能なシート部とからなる折畳み用椅子であって、前記シート部は、シート部とシート縁部の縫着孔を挿通する円環体と、小孔を有する係止部とから構成され、該シート部の円環体が前記支持棒先端の溝部に嵌め込まれると共に、係止部の小孔に前記折畳み肢脚先端部を挿通させることによってシート部を固定することを特徴とする折畳み用携帯椅子である。
【０００９】
本考案の第二は、前記脚部は、Ｘ字状の折り畳み可能な折畳み肢脚の先端部を固定する複数の固定台で開閉自在に固定される際に、後部固定台から延設する支持棒を挿通させた複数の上部固定部が支持棒に沿って上下に移動可能な構造となっていることを特徴とする請求項１記載の折畳み用携帯椅子である。
【００１０】
本考案の第三は、前記脚部の支持棒先端部には、Ｕ字状の溝を設けた固定部を取り付けてあることを特徴とする請求項１〜２記載の折畳み用携帯椅子である。
【００１１】
本考案の第四は、前記シート部の円環体は、複数の円環体と、該円環体先端部を固定する固定具とからなり、該円環体の先端部は前後に回送自在に固定されることによって円環体及びシート部が折畳み可能となっていることを特徴とする請求項１記載の折畳み用携帯椅子である。
【考案の効果】
【００１２】
本考案の折畳み用携帯椅子は、脚部とシート部が別々にコンパクトに折畳んで搬送ボックスに入れることができる為に搬送が容易にできるものである。
【００１３】
着座部および背もたれ部を半円球状に縫着して折畳みを容易にすると共に、これら縫着シートの端部に円環状の縫着孔を設けて折畳み可能な円環体を挿通した折畳みシート部を用いるために、使用時にはゆったりとした着座が可能となり長時間の使用に耐えうる椅子となっている。
【考案を実施するための最良の形態】
【００１４】
以下に図面を参照して本考案を詳細に説明するが、本考案の範囲はこれらに限定されるものではない。
【実施例１】
【００１５】
図１は、本考案に係る使用時における折畳み用携帯椅子の斜視図である。本考案椅子は、Ｘ字状の折り畳み可能な４この折畳み肢脚６，７，８，９と、該肢脚先端部を固定する４個の固定台１０と、２個の後部固定台１０から延設する２本の支持棒１１とからなる脚部と、該支持棒１１の先端部及び前記折畳み肢脚である前肢脚の２本の軸先端部に係止可能なシート部１とから構成される折畳み用椅子である。
【００１６】
この場合、シート部１は、着座部２と背もたれ部３とから成るシート体とシート体縁部の縫着孔を挿通する円環体４と、小孔を有する係止部５とから構成され、該シート部を挿通する円環体４の一部が前記支持棒１１先端の溝部に嵌め込まれると共に、係止部５の小孔に前記折畳み肢脚である前肢脚６の軸先端部を挿通させることによってシート部１を固定するようになっている。
【００１７】
図２は、本考案で使用するシート部の拡大斜視図である。このシート部は着座部２と背もたれ部３との縫着幅を約１２０ｃｍとって略円球状に縫着してしている他、シート部端部に約３ｃｍ程の円環体挿通孔１５を約４０ｃｍ幅で４個縫着し、次いでこの４個の円環体挿通孔１５に端部直径約１００ｃｍ、外筒径１５ｃｍのパイプ硬質樹脂製パイプを２本
それぞれ挿通してから、円環体固定具１４で固定するようにしている。
【００１８】
またシート体１の先端部には縦５ｃｍ、横５０ｃｍの係止部５を逢着し、この係止部の両端部近傍に２個の小孔部１３を設け、前肢脚６の軸先端に引っ掛けるようにしている。
【００１９】
図３は、本考案で使用する円環体を折畳み状に固定する円環体固定具の使用斜視図である。この円環体固定具１４は、略円筒形状で有り外方に若干のカーブを形成している。円環体４の端部は仕切部１７の手前で鋲１８止めしているが、鋲１８を起点に前方に回動自在としている為に、円環体４を挿通するシート体はこの円環体固定具１４の仕切部１７を境に折り畳める構造となっている。
【００２０】
図４は、円環体固定具１４自体を示す斜視図であるが、固定具本体１６は略円筒形状で有り２つの仕切体１７近傍に円環体の先端部が位置するように設計されている。
【００２１】
図５は、本考案で使用する脚部の斜視図である。本考案の脚部はＸ字状の約６０ｃｍと約６５ｃｍの２本一組の軸が前肢脚６とし、約６０ｃｍの２本一組の軸が右肢脚７、左肢脚８、後肢脚９として４組の脚部を構成し、各軸の端部がそれぞれ４個の脚部固定台１０に鋲止めされ、一方、各脚部の軸他端は２個の前部固定具２０と２個の後部固定具１９とに鋲１８固定されている。
【００２２】
更に後部の脚部固定台１０には約７０ｃｍの支持棒が２個延設固定され、後部固定部１９に設けられた小孔部を上下にスライド移動できるようになっており、脚部全体を縮める場合には、この後部固定部１９が支持棒１１の上方に上がり、脚部を開くときには支持棒１１の下方に下がるようになっている。
【００２３】
図６は、本考案で使用する前部固定具の斜視図である。この前部固定具２０は、平面状の上部体２１の背面に略十字状に垂直な留め板２２、２３が３個、斜面部２４を有する留め板が１個一体成形されており、Ｘ字状の約６０ｃｍと約６５ｃｍの２本一組の軸からなる前肢脚６の長い軸の先端部が斜面部２４に沿って延設され留め板Ａ２３の壁に鋲固定され、一方の留め板Ｂ２４の壁には、左肢脚或いは右肢脚からの短い軸端部が鋲固定されている。
【００２４】
図７は、本考案で使用する後部固定具の斜視図である。この後部固定具１９は、縦横約５ｃｍ幅の平面状の上部体２４の背面に略十字状に垂直な留め板７が３個、小孔孔２５を有する小孔孔本体部２６が１個一体成形されており、Ｘ字状の約６０ｃｍと約６０ｃｍの２本一組の軸からなる左肢脚７又は右肢脚８、および後肢脚９の軸の先端部が留め板２７又は対峙した留め板（図示せず）壁に鋲固定され、一方、小孔部２５には後部の脚部固定台１０から延設する支持棒１１が挿通され、脚部の開閉によってこの後部固定具１９が上下にスライドすることになる。
【００２５】
図８は、本考案で使用する脚部固定台の斜視図である。この脚部固定台１０は、本体部２８に支持棒１１を嵌合する小孔部２９と、各脚部の軸先端部を固定する１個の留め板３２とを一体成形しており、第一棚部３０に脚部の軸先端部を鋲固定する場合には本体部２８の壁部（図示せず）に固定し、第二棚部３１に脚部の軸先端部を鋲固定する場合には留め部３２の壁部（図示せず）に固定するようにしている。
【００２６】
図９は、本考案で使用する円環体受け具の斜視図である。この円環体受け具３２は、外形約２ｃｍ径、縦約５ｃｍの円筒体形状であるが、先端部に円環体を嵌合するためのＵ字状の溝部を約１，５ｃｍ程設けて、シート体の使用時に円環体を保持固定するようにしている。
【００２７】
なお、筒状体内部には底部から約３ｃｍ程パイプ状にして、支持棒１１の先端部に嵌合して鋲固定している。  
【図面の簡単な説明】
【００２８】
【図１】本考案に係る使用時における折畳み用携帯椅子の斜視図である。
【図２】本考案で使用するシート部の拡大斜視図である。
【図３】本考案で使用する円環体を折畳み状に固定する円環体固定具の使用斜視図である。
【図４】図３に示す円環体固定具の斜視図である。
【図５】本考案で使用する脚部の斜視図である。
【図６】本考案で使用する前部固定具の斜視図である。
【図７】本考案で使用する後部固定具の斜視図である。
【図８】本考案で使用する脚部固定台の斜視図である。
【図９】本考案で使用する円環体受け具の斜視図である。
【符号の説明】
【００２９】
１・・・シート部
２・・・着座部
３・・・背もたれ部
４・・・円環体
５・・・係止部
６・・・前肢脚
７・・・右肢脚
８・・・左肢脚
９・・・後肢脚
１０・・脚部固定台
１１・・支持棒
１２・・縫着線
１３・・小孔部
１４・・円環体固定具
１５・・円環体挿通孔
１６・・固定具本体
１７・・仕切部
１８・・鋲
１９・・前部固定具
２０・・後部固定具
２１・・上部体
２２・・留め板Ａ
２３・・留め板Ｂ
２４・・上部体
２５・・小孔部
２６・・小孔部本体
２７・・留め板
２８・・本体部
２９・・小孔部
３０・・第一棚部
３１・・第二棚部
３２・・円環体受け具
３３・・本体部
３４・・溝部
【図１】
0003112740.tif 000003
【図２】
0003112740.tif 000004
【図３】
0003112740.tif 000005
【図４】
0003112740.tif 000006
【図５】
0003112740.tif 000007
【図６】
0003112740.tif 000008
【図７】
0003112740.tif 000009
【図８】
0003112740.tif 000010
【図９】
0003112740.tif 000011